(57)【要約】【課題】  携帯電話などのような個人が所有する通信装置を用いて、ＩＰ電話から公衆回線などの外部の通信網への接続を実現する【解決手段】  本発明の通信制御システムは、携帯電話１００（通信装置）、ＰＯＳ端末２００（情報提供装置）、サーバ３００（管理装置）、アクセスポイント４００（中継装置）で構成されている。この通信制御システムでは、商品購入時にＰＯＳ端末２００において提示されたレシート番号（識別情報）をサーバ３００に送信することによって、サーバ３００内で、携帯電話１００の無線ＬＡＮ接続およびＩＰ電話接続に関する接続情報を生成する。そして、携帯電話１００側でもレシート番号を読み取ることで、携帯電話１００は、サーバ３００内で生成された接続情報を携帯電話１００が受信し、この接続情報に基づいて、無線ＬＡＮ接続を行い、外部のキャリア網８０と通信を行うことができる。【選択図】  図１
2006074296.tif 000002
【特許請求の範囲】
【請求項１】
通信装置が中継装置を介して外部の通信網および管理装置と通信可能な通信制御システムであって、
上記通信装置は、識別情報を記憶する記憶部と、無線ＬＡＮによって中継装置に接続する接続部と、中継装置を介して管理装置へ識別情報を送信する識別情報送信部とを有し、
上記管理装置は、上記通信装置と通信を行う通信部と、通信部を介して通信装置から取得した識別情報に基づいて、通信装置と外部の通信網との通信を中継装置に制御させるための接続情報を生成し、通信部に中継装置へ送信させる制御を行う管理制御部とを有し、
上記中継装置は、上記管理装置から受信した接続情報に基づいて、通信装置と外部の通信網との通信を制御する中継制御部を有することを特徴とする通信制御システム。
【請求項２】
識別情報を提示する情報提供装置をさらに備え、かつ、
上記通信装置が、上記情報提供装置によって提示された上記識別情報を取得する識別情報取得部を有するとともに、該取得した識別情報を識別情報送信部が管理装置へ送信する
ことを特徴とする請求項１に記載の通信制御システム。
【請求項３】
上記情報提供装置は、通信装置の使用者が支払った対価に対応した識別情報を提示するとともに、
上記識別情報に基づいて生成される接続情報は、上記対価に基づいて決定されることを特徴とする請求項２に記載の通信制御システム。
【請求項４】
上記対価は、上記使用者が商品を購入したときに支払う額に基づいて決定されることを特徴とする請求項２または３に記載の通信制御システム。
【請求項５】
上記対価に基づいて決定される接続可能金額は、使用者が商品を購入したときに支払う額に含まれる平均サービス提供料よりも多くなるように設定されることを特徴とする請求項４に記載の通信制御システム。
【請求項６】
上記情報提供装置は、上記識別情報をレシート番号としてレシート上に記録して発行するための記録部を備えることを特徴とする請求項４に記載の通信制御システム。
【請求項７】
上記レシート番号は、チェックサムが付加されて提示されることを特徴とする請求項６に記載の通信制御システム。
【請求項８】
上記管理装置は、上記接続情報と上記識別情報とが関連付けられて格納された情報記憶部を有し、
上記管理制御部が、上記通信装置より取得した識別情報と一致する、上記情報記憶部内の識別情報に対応する接続情報を上記中継装置に送信するものであることを特徴とする請求項１に記載の通信制御システム。
【請求項９】
上記中継制御部は、上記通信装置によるＩＰ電話の利用を制御する機能を有し、上記接続情報に含まれるＩＰ電話の接続を制御するための情報に基づき、ＩＰ電話の利用が接続可能時間を超えた場合には、ＩＰ電話の接続を切断することを特徴とする請求項１に記載の通信制御システム。
【請求項１０】
上記中継装置は、上記通信装置において使用者に報知情報を提示するための制御コマンドを通信装置へ送信する報知情報送信部を備えることを特徴とする請求項１に記載の通信制御システム。
【請求項１１】
上記報知情報送信部は、上記通信装置の通信相手先にも報知情報を提示することを特徴とする請求項１に記載の通信制御システム。
【請求項１２】
上記報知情報は、メッセージ、画面表示、振動のうちの何れかであることを特徴とする請求項１０に記載の通信制御システム。
【請求項１３】
上記通信制御システムを構成する通信装置であって、
無線ＬＡＮによって中継装置に接続する接続部と、
情報提供装置によって提示された識別情報を取得する識別情報取得部とを備え、
上記接続部は、中継装置を介して上記識別情報を管理装置へ送信するとともに、上記識別情報に基づいて生成された接続情報を受信し、該接続情報に基づいて中継装置と無線ＬＡＮ接続を行うことを特徴とする通信装置。
【請求項１４】
上記接続情報には、通信装置によるＩＰ電話の利用を制御するための情報が含まれており、ＩＰ電話の利用が接続可能時間を超えた場合には、上記接続部は、上記接続情報に基づき、ＩＰ電話の接続を切断することを特徴とする請求項１３に記載の通信装置。
【請求項１５】
上記通信制御システムを構成する管理装置であって、
中継装置を介して通信装置と通信を行う通信部と、
通信部を介して通信装置から取得した識別情報に基づいて、通信装置と外部の通信網との通信を中継装置に制御させるための接続情報を生成し、通信部に通信装置へ送信させる制御を行う管理制御部とを有することを特徴とする管理装置。
【請求項１６】
請求項１５に記載の管理装置を動作させる制御プログラムであって、コンピュータを上記の管理制御部として機能させるための制御プログラム。
【請求項１７】
請求項１６に記載の制御プログラムを記録したコンピュータの読み取り可能な記録媒体。
【請求項１８】
上記通信制御システムを構成する情報提供装置であって、
通信装置の使用者が支払った対価を入力する対価入力部と、
上記対価を管理装置へ通知するとともに、上記対価に対応して付与された識別情報を送受信する管理装置接続部と、
上記識別情報を提示する識別情報提示部とを備えることを特徴とする情報提供装置。
【請求項１９】
上記通信制御システムを構成する中継装置であって、
接続されている通信装置から受信した識別情報を管理装置へ送信するとともに、管理装置から受信した接続情報に基づいて、通信装置と外部の通信網との通信を制御する中継制御部を有することを特徴とする中継装置。
【請求項２０】
請求項１９に記載の中継装置を動作させる制御プログラムであって、コンピュータを上記の中継制御部として機能させるための制御プログラム。
【請求項２１】
請求項２０に記載の制御プログラムを記録したコンピュータの読み取り可能な記録媒体。
【請求項２２】
通信装置が中継装置と無線ＬＡＮによって接続されるとともに、通信装置が中継装置を介して外部の通信網および管理装置と通信可能な通信制御システムにおける制御方法であって、
上記管理装置にて、
１）通信装置の記憶部に記憶されている識別情報を通信装置から上記中継装置を介して取得するステップと、
２）取得した上記識別情報に基づいて、通信装置と外部の通信網との通信を中継装置に制御させるための接続情報を生成するステップと、
３）生成した接続情報を通信装置へ送信するステップと、
上記中継装置にて、
４）上記接続情報に基づいて、通信装置と外部の通信網との通信を制御するステップと、
を含むことを特徴とする通信制御システムの制御方法。
【発明の詳細な説明】
【技術分野】
【０００１】
本発明は、無線ＬＡＮ（Local  Area  Network）のアクセスポイント（基地局）を介しての通信を制御する通信制御システム、このシステムを構成する通信装置、情報提供装置、管理装置、中継装置、上記システムにおける制御方法に関するものである。
【背景技術】
【０００２】
近年、高速で大容量のデータ通信が可能なブロードバンドが広く普及している。このブロードバンドの普及によって、非特許文献１，２に示すようなＩＰ電話による無料通話サービスが提供され始めている。
【０００３】
非特許文献１には、ファーストフード店において専用の電話で国内３分間のみ無料通話が可能な無料公衆ＩＰ電話が紹介されている。非特許文献２には、利用者が受話器を取り、電話番号をダイヤルすると、カラー液晶表示画面に数分間コマーシャルが流れ、このコマーシャルの後に、どこへでも数分間無料通話を行うことが可能な機器が紹介されている。
【０００４】
また、最近では、個人が所有する情報端末（例えば、携帯電話）においても、無線ＬＡＮに接続可能な送受信モジュールが内蔵されたものが提案されている。このような携帯電話を用いて無線ＬＡＮに接続することによって、例えば、無料のホットスポット（登録商標）内において無線ＬＡＮを介したＩＰ電話が実現する。
【非特許文献１】“施設・サービスのご紹介  ＭｃＢＢフォン”、[online]、［平成１６年８月２４日検索］、インターネット＜ＵＲＬ：http://www.mcdonalds.co.jp/shop/service/bbphone/bbphone.html＞
【非特許文献２】“ＭＯＳＩＶＯ”、[online]、［平成１６年８月２４日検索］、インターネット＜ＵＲＬ：http://www.p-change.com/j/prd/mos/e_01.html＞
【非特許文献３】甲斐祐樹、“ソフトバンクＢＢ、ＢＢフォンと携帯電話の相互接続０５０番号提供を予定”、２００３年１１月４日掲載、[online]、［平成１６年８月２４日検索］、インターネット＜ＵＲＬ：http://internet.watch.impress.co.jp/cda/news/2003/11/04/986.html＞
【発明の開示】
【発明が解決しようとする課題】
【０００５】
ところで、無料のホットスポット（登録商標）においてＩＰ電話から公衆回線に電話をする場合には、ＩＰ電話から公衆回線への接続料が別途必要となる（非特許文献３参照）。そこで、現状では個人所有の携帯電話を無料のホットスポット（登録商標）内でＬＡＮ接続しても、携帯電話の使用者へ課金できるようなシステムが存在しないため、別途接続料金が必要となる公衆回線への接続はできないようになっている。このように、現状のシステムでは、無料スポット内での個人所有の携帯電話を用いたＩＰ電話の利用については、利用範囲が大きく制限されてものとなっている。
【０００６】
また、上記非特許文献１，２に記載の無料通話に関しては、ＩＰ電話で公衆回線に接続することは可能であるが、どちらも特定の場所に設置された固定電話であり、利便性が低い。
【０００７】
本発明は、上記の問題点に鑑みてなされたものであり、その目的は、無線ＬＡＮ（Local  Area  Network）のアクセスポイント（基地局）を介しての通信を外部から制御することができる通信制御システムを実現することにある。
【課題を解決するための手段】
【０００８】
本発明にかかる通信制御システムは、上記の課題を解決するために、通信装置が中継装置を介して外部の通信網および管理装置と通信可能な通信制御システムであって、上記通信装置は、識別情報を記憶する記憶部と、無線ＬＡＮによって中継装置に接続する接続部と、中継装置を介して管理装置へ識別情報を送信する識別情報送信部とを有し、上記管理装置は、上記通信装置と通信を行う通信部と、通信部を介して通信装置から取得した識別情報に基づいて、通信装置と外部の通信網との通信を中継装置に制御させるための接続情報を生成し、通信部に中継装置へ送信させる制御を行う管理制御部とを有し、上記中継装置は、上記管理装置から受信した接続情報に基づいて、通信装置と外部の通信網との通信を制御する中継制御部を有することを特徴としている。
【０００９】
上記の構成によれば、管理装置が、通信装置から受信した識別情報に基づいて、管理装置の管理制御部内で接続情報を生成して、中継装置へ送信する。また、中継装置の中継制御部は、上記接続情報に基づいて、通信装置と外部の通信網との通信の制御を行う。
【００１０】
つまり、通信装置は、識別情報によって管理装置に認識され、この識別情報に基づいて生成された接続情報が中継装置に送信されることで、中継装置による制御の下で、中継装置を介して外部の通信網との通信が可能となる。
【００１１】
従って、本発明の通信制御システムによれば、携帯電話などのような個人が所有する通信装置を用いて、無線ＬＡＮを介して公衆回線などの外部の通信網への接続が可能となる。例えば、インターネットを利用してホームページの閲覧やメールの送受信、ＩＰ電話等を利用することが可能となる。
【００１２】
なお、上記「無線ＬＡＮ」の範疇には、Ｂｌｕｅｔｏｏｔｈ（登録商標）も含まれるものとする。
【００１３】
本発明の通信制御システムは、識別情報を提示する情報提供装置をさらに備え、かつ、上記通信装置が、上記情報提供装置によって提示された上記識別情報を取得する識別情報取得部を有するとともに、該取得した識別情報を識別情報送信部が管理装置へ送信するものであってもよい。
【００１４】
上記の構成によれば、外部の情報提供装置から通信装置に識別情報を供給できる。
【００１５】
例えば、ハンバーガーショップなどのファーストフード店のレジに情報提供装置を設けた場合、通信装置の使用者が支払った対価（例えば、携帯電話の使用者が、購入した商品に対して支払った金額支払った金額やポイント）に相当する識別情報を付与することができる。この場合、通信装置の使用者が支払った対価に応じた時間や料金分だけ、通信装置を中継装置に無線ＬＡＮにより接続させて、外部のネットワークに接続させることが可能となる。
【００１６】
本発明の通信制御システムにおいて。上記情報提供装置は、通信装置の使用者が支払った対価に対応した識別情報を提示するとともに、上記識別情報に基づいて生成される接続情報は、上記対価に基づいて決定されてもよい。
【００１７】
これによれば、使用者が支払った対価から接続可能金額（つまり、ＩＰ電話として接続可能な通話料金）を算定する方法を設定しておくことで、この設定された方法に基づいて支払った対価に応じた接続可能金額あるいは接続可能時間を決定することができる。
【００１８】
また、上記の通信制御システムにおいて、上記対価は、上記使用者が商品を購入したときに支払う額に基づいて決定されてもよい。
【００１９】
また、上記対価に基づいて決定される接続可能金額は、使用者が商品を購入したときに支払う額に含まれる平均サービス提供料よりも多くなるように設定されてもよい。
【００２０】
上記情報提供装置は、上記識別情報をレシート番号としてレシート上に記録して発行するための記録部を備えていてもよい。
【００２１】
上記レシート番号は、チェックサムが付加されて提示されてもよい。これによれば、レシートの偽造を防止することができる。
【００２２】
本発明の通信制御システムにおいて、上記管理装置は、上記接続情報と上記識別情報とが関連付けられて格納された情報記憶部を有し、上記管理制御部が、上記通信装置より取得した識別情報と一致する、上記情報記憶部内の識別情報に対応する接続情報を上記中継装置に送信するものであってもよい。
【００２３】
上記の構成によれば、上記通信装置より取得した識別情報に対応する接続情報を情報記憶部から容易に読み出すことができる。
【００２４】
本発明の通信制御システムにおいて、上記中継制御部は、上記通信装置によるＩＰ電話の利用を制御する機能を有し、上記接続情報に含まれるＩＰ電話の接続を制御するための情報に基づき、ＩＰ電話の利用が接続可能時間を超えた場合には、ＩＰ電話の接続を切断するものであってもよい。
【００２５】
上記の構成によれば、接続可能時間に応じてＩＰ電話の接続を切断することができる。そのため、例えば、通信装置の使用者が支払った金額等に応じてＩＰ電話の利用時間を制御することができる。
【００２６】
本発明の通信制御システムにおいて、上記中継装置は、上記通信装置において使用者に報知情報を提示するための制御コマンドを通信装置へ送信する報知情報送信部を備えていてもよい。
【００２７】
ここで、報知情報は、通信装置のユーザに報知することが望ましい情報である。報知情報の例としては、通信状態、残り時間、ＣＭなどが挙げられる。また、報知情報は、メッセージの表示や音声出力、振動などの形態でユーザに提示することができる。上記報知情報送信部は、メッセージの内容そのものを送信してもよいし、通信装置にあらかじめ格納されているメッセージ等を選択するコマンドであってもよい。
【００２８】
それゆえ、上記の構成によれば、外部の通信網との接続中にユーザが知りたい情報を得ることができるため、利便性が向上する。
【００２９】
また、上記報知情報送信部は、上記通信装置の通信相手先にも報知情報を提示してもよい。本発明では、例えば、報知情報をユーザに音声出力する場合、相手側にも同様の合成信号を送信することによって、上記のように通信相手先にも報知情報を提示することができる。
【００３０】
上記報知情報は、メッセージ、画面表示、振動のうちの何れかであってもよい。また、上記報知情報として、メッセージ、画面表示、振動の何れか１つのみではなく、これらのうちの複数を組み合わせて利用してもよい。
【００３１】
また、本発明にかかる通信装置は、上記通信制御システムを構成する通信装置であって、無線ＬＡＮによって中継装置に接続する接続部と、情報提供装置によって提示された識別情報を取得する識別情報取得部とを備え、上記接続部は、中継装置を介して上記識別情報を管理装置へ送信するとともに、上記識別情報に基づいて生成された接続情報を受信し、該接続情報に基づいて中継装置と無線ＬＡＮ接続を行うことを特徴としている。
【００３２】
上記の通信装置を利用すれば、中継装置とのＬＡＮ接続を介して、公衆回線などの外部の通信網への接続が可能となり、携帯電話などとの通信を行うことができる。
【００３３】
本発明の通信装置において、上記接続情報には、通信装置によるＩＰ電話の利用を制御するための情報が含まれており、ＩＰ電話の利用が接続可能時間を超えた場合には、上記接続部は、上記接続情報に基づき、ＩＰ電話の接続を切断してもよい。
【００３４】
また、本発明にかかる管理装置は、上記通信制御システムを構成する管理装置であって、中継装置を介して通信装置と通信を行う通信部と、通信部を介して通信装置から取得した識別情報に基づいて、通信装置と外部の通信網との通信を中継装置に制御させるための接続情報を生成し、通信部に通信装置へ送信させる制御を行う管理制御部とを有することを特徴としている。
【００３５】
上記の構成によれば、上記の通信制御システムにおいて、管理装置が、通信装置から受信した識別情報に応じた接続情報を中継装置へ送信し、通信装置と外部の通信網との接続を制御することができる。
【００３６】
本発明の制御プログラムは、上記の管理装置を動作させる制御プログラムであって、コンピュータを上記の管理制御部として機能させる。
【００３７】
また、本発明の記録媒体は、上記の制御プログラムを記録したコンピュータの読み取り可能な記録媒体である。
【００３８】
また、本発明にかかる情報提供装置は、上記通信制御システムを構成する情報提供装置であって、通信装置の使用者が支払った対価を入力する対価入力部と、上記対価を管理装置へ通知するとともに、上記対価に対応して付与された識別情報を送受信する管理装置接続部と、上記識別情報を提示する識別情報提示部とを備えることを特徴としている。
【００３９】
上記の情報提供装置では、通信装置の使用者が支払った対価に対応して識別情報を付与するため、通信装置の使用者が支払った対価に応じて接続情報（例えば、外部の通信網との接続可能時間、あるいは、ＩＰ電話の接続可能時間）の設定を行うことができる。
【００４０】
なお、上記対価は、携帯電話の使用者が、管理装置の管理者に支払った金額やポイントであってもよいし、管理装置の管理者が経営する店舗において販売される商品を購入するときに支払う金額やポイントであってもよい。
【００４１】
また、本発明にかかる中継装置は、上記通信制御システムを構成する中継装置であって、接続されている通信装置から受信した識別情報を管理装置へ送信するとともに、管理装置から受信した接続情報に基づいて、通信装置と外部の通信網との通信を制御する中継制御部を有することを特徴としている。
【００４２】
上記の構成によれば、上記の通信制御システムにおいて、中継装置は、通信装置から受信した識別情報に応じた接続情報を管理装置から受信し、通信装置と外部の通信網との通信を制御することができる。
【００４３】
また、本発明の制御プログラムは、上記の中継装置を動作させる制御プログラムであって、コンピュータを上記の中継制御部として機能させる。
【００４４】
また、本発明の記録媒体は、上記の制御プログラムを記録したコンピュータの読み取り可能な記録媒体である。
【００４５】
本発明にかかる制御方法は、通信装置が中継装置と無線ＬＡＮによって接続されるとともに、通信装置が中継装置を介して外部の通信網および管理装置と通信可能な通信制御システムにおける制御方法であって、上記管理装置にて、
１）通信装置の記憶部に記憶されている識別情報を通信装置から上記中継装置を介して取得するステップと、
２）取得した上記識別情報に基づいて、通信装置と外部の通信網との通信を中継装置に制御させるための接続情報を生成するステップと、
３）生成した接続情報を通信装置へ送信するステップと、
上記中継装置にて、
４）上記接続情報に基づいて、通信装置と外部の通信網との通信を制御するステップと、
を含むことを特徴としている。
【００４６】
上記の方法によれば、通信装置に記憶された識別情報に基づいて、管理装置の管理制御部内で接続情報が生成される。さらに、管理制御部では、通信部に対して特定の通信装置へ送信させるという制御が行われる。また、中継装置の中継制御部では、上記接続情報に基づいて、通信装置と外部の通信網との通信の制御が行われる。
【００４７】
つまり、通信装置は、識別情報によって管理装置に認識され、この識別情報に基づいて生成された接続情報が中継装置を介して送信されることで、中継装置を介して外部の通信網との通信が可能となる。
【００４８】
従って、本発明の通信制御システムの制御方法によれば、携帯電話などのような個人が所有する通信装置を用いて、無線ＬＡＮを介して公衆回線などの外部の通信網への接続が可能となり、携帯電話などとの通信を行うことができる。
【００４９】
なお、上記の通信装置、中継装置、管理装置、情報提供装置は、コンピュータによって実現してもよく、この場合には、コンピュータを上記の装置の各部として動作させることにより上記の通信装置、中継装置、管理装置、情報提供装置をコンピュータにて実現させる制御プログラム、およびそれを記録したコンピュータ読み取り可能な記録媒体も、本発明の範疇に入る。
【発明の効果】
【００５０】
本発明にかかる通信制御システムは、以上のように、識別情報を記憶する記憶部と、無線ＬＡＮによって中継装置に接続する接続部と、中継装置を介して管理装置へ識別情報を送信する識別情報送信部とを有する通信装置と、上記通信装置と通信を行う通信部と、通信部を介して通信装置から取得した識別情報に基づいて、通信装置と外部の通信網との通信を中継装置に制御させるための接続情報を生成し、通信部に中継装置へ送信させる制御を行う管理制御部とを有する管理装置と、上記管理装置から受信した接続情報に基づいて、通信装置と外部の通信網との通信を制御する中継制御部を有する中継装置とを備えることを特徴としている。
【００５１】
従って、本発明の通信制御システムによれば、携帯電話などのような個人が所有する通信装置を用いて、無線ＬＡＮを介して公衆回線などの通常、送信者・機器の特定と、料金が必要な外部の通信網への接続が可能となる。例えば、インターネットを利用してホームページの閲覧やメールの送受信、ＩＰ電話等を利用することが可能となるという効果を奏する。また、通信権を確認し、課金先を明確にして、別途通話者以外から支払いが可能にすることで、携帯電話等へ電話を、通話者が無料で通話を行うことが出来る。
【発明を実施するための最良の形態】
【００５２】
本発明の実施の一形態について説明すれば、以下の通りである。
【００５３】
本実施の形態では、本発明の通信制御システムの一例として、携帯電話（通信装置）の使用者が、予め支払いをしておくことで、無料ホットスポット（登録商標）内において、携帯電話の無線ＬＡＮ接続を行い、この携帯電話を用いてＩＰ電話から公衆回線への接続を可能とする通信制御システムについて説明する。
【００５４】
まず、本実施の形態にかかる通信制御システムについて、図１および図２を用いて大略的に説明する。
【００５５】
本実施の形態の通信制御システムは、ファーストフード店内に設置されているファーストフード店サーバ（管理装置）３００およびＰＯＳ端末（情報提供装置）２００と、ファーストフード店内あるいはその近くに設置されているアクセスポイント（中継装置）４００、および、ファーストフード店の顧客である個人が所有する携帯電話（通信装置）１００から構成されている。
【００５６】
この通信制御システムでは、携帯電話１００の使用者が、ファーストフード店において商品を購入するときに、支払った金額（対価）、支払った時間、（使用者が顧客登録されている場合には、会員Ｎｏ．も）などの支払い条件を、ＰＯＳ端末２００に備えられた操作入力装置（対価入力部）２１２（図６参照）に入力する。ＰＯＳ端末２００は、ファーストフード店サーバ（以下、サーバと呼ぶ）３００と通信可能に接続されているため、入力された支払い条件をサーバ３００へ送信する。サーバ３００では、送信された支払い条件に対応してレシート番号（識別情報）を決定するとともに、無線ＬＡＮ設定情報、支払い条件から接続（通話）可能時間、通話可能金額などの接続条件に関する情報（接続情報）などが設定される。これらの情報は、サーバ３００内のサーバ・データ記憶部３２１にデータリスト（図７参照）として格納される。なお、本実施の形態では、レシート番号をサーバ３００が決定する場合の構成について説明するが、本発明はこれに限定されず、ＰＯＳ端末がレシート番号を決定、および、接続条件（接続情報）の設定を行ってもよい。
【００５７】
サーバ３００で設定された識別情報、無線ＬＡＮ設定情報、接続情報は、再びＰＯＳ端末２００へ送信され、ＰＯＳ端末２００では、これらの情報、および、レシート番号およびＬＡＮ設定情報が記載されたバーコードを印刷したレシートＲを発券する。携帯電話１００の使用者は、このレシートＲに印刷されたバーコードを、携帯電話に備えられた操作入力装置１１２（識別情報取得部）（図３参照）から入力する。入力されたバーコードにはレシート番号、無線ＬＡＮ設定情報が含まれており、このレシート番号およびＬＡＮ設定情報は内部の携帯電話記憶部１２１に記憶される。
【００５８】
なお、このＬＡＮ設定情報については、必ずしもバーコード内に含まれていなくてもよい。ＬＡＮ設定情報がバーコード内に含まれている場合には、携帯電話１００がバーコードを読み取ることによって、自動でＡＰ４００との無線ＬＡＮ接続の設定が行われる。一方、ＬＡＮ設定情報がバーコード内に含まれていない場合には、携帯電話１００の操作入力装置１１２から無線ＬＡＮ設定の操作を行うことによって、無線ＬＡＮ接続を行う。
【００５９】
携帯電話１００がアクセスポイント４００と無線ＬＡＮの接続を確立したとき、レシート番号の情報は、アクセスポイント（以下、ＡＰと呼ぶ）４００を介してサーバ３００に送信される。送信されたレシート番号と、サーバ・データ記憶部内３２１内に記憶されているデータリストの中から携帯電話１００から送信されたレシート番号と一致するレシート番号に対応する接続情報を選択して読み出す。そして、読み出された接続情報は、通信部３３０（図４参照）からＡＰ４００へと送信される。
【００６０】
ＡＰ４００では、送信された接続情報に基づいて、まず、携帯電話１００との無線ＬＡＮ接続の設定が行われる。これによって、無料ホットスポット内における無線ＬＡＮ使用が可能となる。
【００６１】
また、ＡＰ４００は、中継機器６０を介してキャリア網８０と接続されており、公衆回線を通じた通信が行えるような構成となっている。そのため、携帯電話１００は、無線ＬＡＮ接続によって、キャリア網（外部の通信網）８０との通信が可能となり、接続情報に含まれるキャリア網とのＩＰ電話による接続可能時間あるいは接続可能金額の範囲内に限って、通常の携帯電話１０１などとのＩＰ電話を利用した通話が可能となる。
【００６２】
そして、ＡＰ４００は、携帯電話１００によるＩＰ電話の利用が接続可能時間（あるいは、接続可能金額）を超えた場合には、ＩＰ電話の接続を切断する。なお、ＩＰ電話の接続を切断するときには、ＡＰ４００が報知情報の制御コマンドを携帯電話２００へ送信することで、音声などの報知情報を携帯電話２００が発し、使用者に伝えてもよい。また、接続可能時間が残りわずかであることを、メッセージ、画面表示、振動などの報知情報によって、携帯電話１００の使用者に報知してもよい。
【００６３】
以上のように、ＡＰ４００に送信される接続情報は、携帯電話１００と中継機器６０を介して接続されたキャリア網（外部の通信網）制御させるための情報として機能する。
【００６４】
なお、外部のキャリア網８０を使用すると、キャリア網の管理者であるキャリア７０に対して接続料金の支払い義務が発生する。また、中継機器６０を介して外部のキャリア網８０を使用する場合には、中継機器６０の管理者である中継業者５０に対して中継料金の支払い義務が発生する。これらの料金については、キャリア網８０において課金計算が行われ、キャリア７０が接続料金を中継業者７０に対して請求する。さらに、中継業者５０は、サーバ３００の管理者であるファーストフード店に中継料金の請求を行う。
【００６５】
上記の通信制御システムによれば、ファーストフード店において商品を購入することで、前もって金銭の支払い、個人が所有する携帯電話のような通信装置を使用して、ホットスポット（登録商標）内において無線ＬＡＮ（Local  Area  Network）を介して公衆回線に接続することができる。これによって、従来は不可能であった個人所有の携帯電話を用いたホットスポット（登録商標）内でのＩＰ電話による公衆回線への接続、そして、ホットスポット（登録商標）内において同じプロバイダに加入する電話以外の電話（例えば、通常の携帯電話）への通話が可能となる。
【００６６】
続いて、本実施の形態の通信制御システムを構成する携帯電話１００、サーバ３００、ＡＰ４００、ＰＯＳ端末２００のより具体的な構成を説明する。
【００６７】
先ず、携帯電話１００の構成について、図３を用いて説明する。
図３に示すように、携帯電話１００は、装置全体を制御する制御部１１０を中心に、表示装置１１１、操作入力装置１１２、時計１１３、無線ＬＡＮ接続用の無線ＬＡＮ用接続部（接続部）１３０、公衆回線を通じた通常の通話を行うための公衆回線用接続部１３１、携帯電話記憶部１２１が接続された構成となっている。無線ＬＡＮ用接続部１３０は、無線ＬＡＮ用アンテナ１１５、無線ＬＡＮ部１１６、無線ＬＡＮ制御部１１７から構成されており、公衆回線用接続部１３１は、公衆回線用アンテナ１１８、公衆回線部１１９、公衆回線制御部１２０から構成されている。
【００６８】
上記携帯電話記憶部１２１には、アドレス表１２２、無線ＬＡＮ設定情報を格納したＷＬＡＮ設定データ１２３が設けられており、必要に応じて読み出されるようになっている。上記ＷＬＡＮ設定データ１２３としては、無線ＬＡＮ接続に必要なＳＳＩＤ等、セキュリティや暗号化に必要な情報であり、少なくとも最低限の無線ＬＡＮ接続に必要な設定情報を含み、必要に応じ、セキュリティ情報等を含む。さらに、携帯電話記憶部１２１内には、レシート番号（識別情報）を記憶するためのレシート番号記憶部（記憶部）１２４が設けられている。
【００６９】
レシート番号は、ＰＯＳ端末２００から発券されたレシートを読み取ることによって操作入力装置１１２から入力されたのち、レシート番号記憶部１２４に記憶される。また、無線ＬＡＮ設定情報も、同様にしてＰＯＳ端末２００から発券されたレシートを読み取ることによって操作入力装置１１２から入力される。
【００７０】
上記表示装置１１１は、携帯電話１００の表示部に相当し、上記操作入力装置１１２は、携帯電話１００のテンキー等の入力部に相当する。なお、操作入力装置１１２は、レシートに記載されたバーコードを読み取る機能も有している。時計１１３は、時間を管理するとともに、表示装置１１において日時を表示するためのものである。
【００７１】
このように、携帯電話１００には、通信を行うための手段として、公衆回線用アンテナ１１８が上記公衆回線部１１９を介して公衆回線制御部１２０に接続された構成の他に、ＡＰ４００を介してサーバ３００との間で無線ＬＡＮシステムを構築するための、無線ＬＡＮ用アンテナ１１５が無線ＬＡＮ部１１６を介して無線ＬＡＮ制御部１１７に接続された構成を有している。
【００７２】
また、このような構成によって、ＡＰ４００を介して、無線ＬＡＮ用接続部（接続部）１３０からレシート番号をサーバへ送信することができる。そして、サーバ３００では、送信されたレシート番号と、サーバ内に記憶されているレシート番号を照合させることによって、該当する接続情報を選択して、ＡＰ４００へ送信する。上記のように、本実施の形態にかかる携帯電話１００では、無線ＬＡＮ用接続部（接続部）１３０を介して識別情報であるレシート番号をサーバ３００へ送ることができるため、無線ＬＡＮ用接続部１３０は、識別情報送信部としての役割も果たしている。
【００７３】
なお、上記携帯電話１００では、レシート番号を読み取る際に、無線ＬＡＮ設定情報も併せて読み取ることで、自動でＡＰ４００との無線ＬＡＮ接続の設定が行われる。これによって、携帯電話１００は、ＡＰ４００との無線ＬＡＮ接続が行われるとともに、接続情報に応じた接続条件で、ＡＰ４００を介してキャリア網８０とのＩＰ電話の利用が可能となる。
【００７４】
なお、無線ＬＡＮ設定情報については、必ずしもレシート番号と同時に読み取る必要はなく、このような場合には、携帯電話１００の操作入力装置１１２から無線ＬＡＮ設定の操作を使用者が手動で行うことによって、無線ＬＡＮ接続を行うこともできる。
【００７５】
また、上記携帯電話１００の内部には、上記以外の構成部材として、無線ＬＡＮ接続の接続情報を記憶する接続条件記憶部が携帯電話記憶部１２１の内部に設けられており、携帯電話１００自体が、サーバ３００から受け取った接続情報に基づいて、無線ＬＡＮ用接続部１３０を介した通信の制御を行ってもよい。また、この場合には、時計１１３に基づいてＩＰ電話および無線ＬＡＮ接続の接続可能時間の期限を判定するための接続期限判定部が設けられている。しかしながら、本実施の形態にかかる通信制御システムでは、携帯電話１００の無線ＬＡＮ用接続部１３０を介した通信の制御について、サーバ３００が一括して行うような構成となっているために設けられていない。
【００７６】
続いて、サーバ３００の構成について図４を用いて説明する。
図４に示すように、サーバ３００は、装置全体を管理する制御部（管理制御部）３１０を中心に、表示装置３１１、操作入力装置３１２、接続期限判定部３１３、時計３１４、ＡＰ４００との通信を行うためのＡＰ用通信部（通信部）３３０、ＰＯＳ端末２００との通信を行うためのＰＯＳ用通信部３３１、サーバ・データ記憶部（情報記憶部）３２１が接続された構成となっている。ＡＰ用通信部３３０は、イーサネット（登録商標）ケーブル等からなるＡＰとの通信手段３１７が、ＡＰとの通信制御部３１８に接続された構成を有している。ＰＯＳ用通信部３３１は、イーサネット（登録商標）ケーブル等からなるＰＯＳとの通信手段３１５が、ＰＯＳとの通信制御部３１６に接続された構成を有している。
【００７７】
上記サーバ・データ記憶部３２１の内部には、レシートリスト３２２、メンバーリスト３２３、購入−電話料金ルール３２４、電話接続料金表３２５、データリスト３２６などが格納されている。
【００７８】
レシートリスト３２２は、レシート番号の使用状況を示すリストである。メンバーリスト３２３は、ファーストフード店における無線ＬＡＮ接続サービスに会員登録されている会員のリストである。購入−電話料金ルール３２４は、ファーストフード店において携帯電話１００の使用者が購入した商品に対して付与する電話料金の金額に関するルールである。電話接続料金表３２５は、例えば図８に示すようなものであり、通信相手の通信装置の種類に応じた設定された時間あたりの接続料金の一覧表である。
【００７９】
データリスト３２６は、例えば図７に示すようなものであり、使用者が商品を購入した場合に付与されるレシート番号と、それに対応する無線ＬＡＮおよびＩＰ電話の接続条件に関する接続情報が関連付けられた格納されたものである。このデータリスト３２６は、ＰＯＳ端末２００に商品購入の際に対価などの支払いに関する情報が入力され、ＰＯＳ用通信部３３１を介してサーバ３００にこの情報が送信されたときに、上記レシートリスト３２２、上記メンバーリスト３２３、上記購入−電話料金ルール３２４、電話接続料金表３２５に基づいて、制御部３１０が入力された支払いに関する情報からレシート番号および上記接続情報を設定し、これらを関連付けて格納したものである。
【００８０】
なお、ここで設定されたレシート番号については、ＰＯＳ用通信部３３１からＰＯＳ端末２００へと送信される。ＰＯＳ端末２００に送信されたレシート番号は、後述するようにレシートにバーコードとして印刷されるというかたちで出力される。そして、携帯電話１００がこのバーコートを読み取ることによって、携帯電話１０にもレシート番号が記憶される。
【００８１】
携帯電話１００に記憶されたレシート番号は、ＡＰ４００を介してＡＰ用通信部３３０からサーバ３００へ送信される。そして、制御部３１０では、携帯電話１００から送信されたレシート番号と、データリスト３２６とを照合させ、対応する接続情報を読み出し、この接続情報をＡＰ用通信部３３０からＡＰ４００へと送信する。
【００８２】
上記表示装置３１１は、このシステムを管理する管理者等が、接続状況などを確認、監視するためのＰＣ用のディスプレイ装置等を行う表示部に相当し、上記操作入力装置３１２は、管理者が操作を行うためのタッチパネル、キーボードなどの入力部に相当する。時計１１４は、時間を管理するとともに、表示装置１１において日時を表示するためのものである。
【００８３】
上記接続期限判定部３１３は、接続情報に含まれる無線ＬＡＮおよびＩＰ電話の接続可能時間の情報および接続開始時に基づいて、携帯電話１００がいつまで無線ＬＡＮおよびＩＰ電話を利用可能であるかを決定するものである。これによって、接続可能時間の範囲内で無線ＬＡＮあるいはＩＰ電話の利用を行うことができる。
【００８４】
上記サーバ３００は、上記のような構成を備えることによって、携帯電話１００から受信したレシート番号に対応した接続情報をＡＰ４００へ送信し、携帯電話１００の無線ＬＡＮ接続およびＩＰ電話接続の制御を行うことができる。
【００８５】
なお、本実施の形態における通信制御システムでは、上記サーバ３００においてレシート番号および接続情報の設定が行われるが、本発明はこれに限定されることなく、レシート番号および接続情報の設定をＰＯＳ端末２００の制御部が行うような構成であってもよい。
【００８６】
続いて、ＡＰ４００の構成について図５を用いて説明する。
図５に示すように、ＡＰ４００は、装置全体を管理する制御部（中継制御部）４１０を中心に、表示装置４１１、操作入力装置４１２、中継機器６０との通信を行うための外部通信部４３０、サーバ３００と通信を行うためのサーバ通信部４３１、携帯電話１００と無線ＬＡＮによる通信を行うための無線ＬＡＮ接続部４３２、ＡＰデータ記憶部４２１が接続された構成となっている。外部通信部４３０は、ケーブル４３１が有線ＷＡＮ部４３２を介して、有線ＷＡＮ制御部４３３と接続された構成を有している。サーバ通信部４３１は、イーサネット（登録商標）ケーブル４１８が有線ＬＡＮ部４１９を介して有線ＬＡＮ制御部４２０と接続された構成を有している。無線ＬＡＮ接続部４３２は、無線ＬＡＮ用アンテナ４１５が、無線ＬＡＮ部４１６を介して無線ＬＡＮ制御部と接続された構成を有している。
【００８７】
上記制御部４１０の内部には、携帯電話１００において、使用者に通話可能時間、残りの通話可能時間、あるいは、接続が切断されるという情報、ファーストフード店のコマーシャルなどのような報知情報を提示するための制御コマンドを生成し、携帯電話１００に送信するための報知情報送信部４４０が備えられている。
【００８８】
上記ＡＰデータ記憶部４２１には、サーバ３００から送信された無線ＬＡＮの設定データであるＷＬＡＮ設定データ４２２、ＡＰ４００と接続可能な機器に関する接続可能機器データ４２３、サーバ３００から送信されたＩＰ電話の接続情報のデータを記憶する電話時間等の接続条件記憶部４２５、各種ソフトウェア４２４、報知情報用の音声データを記憶するメッセージ用音声データ等記憶部４２６が格納されている。
【００８９】
但し、携帯電話１００の通信の制御をサーバ３００が一括して行い、その制御情報をＡＰ４００が単に中継して携帯電話１００に送信する場合には、電話時間等の接続条件記憶部４２５は設けられていなくてもよい。
【００９０】
そして、携帯電話１００の使用者に報知情報を提示するための報知情報送信部４４０およびメッセージ用音声データ等記憶部４２６についても、サーバ３００内に備えられていてもよい。この場合には、ＡＰ４００では、サーバ３００において生成され、送信されてきた制御コマンドの中継のみを行って、携帯電話１００に送信する。図１０に示すフローチャートでは、このようにして通信が行われる。
【００９１】
このように、報知情報送信部４４０、電話時間等の接続条件記憶部４２５、メッセージ用音声データ等記憶部４２６がＡＰ４００内に備えられておらず、全てサーバ３００からの指示に基づいて通信の制御および中継を行う場合には、ＡＰ４００は既存のものを用いてもよい。
【００９２】
一方、ＡＰ４００が、サーバ３００から送信された接続情報に基づいて携帯電話１００とキャリア網８０との通信を制御する場合には、中継装置の制御部４１０が、ＡＰデータ記憶部４２１内に記憶されているＷＬＡＮ設定データ４２２、電話時間等の接続条件記憶部４２５に記憶されている接続情報に基づいて、携帯電話１００の無線ＬＡＮによる通信の制御、および、携帯電話１００におけるＩＰ電話を利用した外部のキャリア網８０との通信の制御を行う。この場合、制御部４１０の内部には、設定された無線ＬＡＮおよびＩＰ電話の接続可能時間に基づいて、携帯電話１００の各接続の期限を判定する接続期限判定部が設けられている。これによって、ＩＰ電話の接続可能時間を超えた場合には、携帯電話１００におけるＩＰ電話の接続を切断する。また、無線ＬＡＮ接続が接続可能時間を超えた場合には、携帯電話１００の無線ＬＡＮ接続を切断する。
【００９３】
また、上記表示装置４１１は、例えば、ＡＰの通信状況等を示すＬＥＤであり、通話者がいない場合は青、通話者がいるが十分空きがある場合は緑、ＡＰによる通信が満杯でこれ以上通話を増加出来ない場合は赤等で示すことで、管理者や携帯電話の使用者に通話可能かどうかを示すことが可能である。なお、直接もしくはＰＣ等を介してＡＰの状況を示すＬＣＤ／ＣＲＴディスプレイ等でもよい。また、上記操作入力装置４１２は、管理者が操作を行うためのタッチパネル、キーボードなどの入力部に相当する。
【００９４】
続いて、ＰＯＳ端末２００の構成について図６を用いて説明する。
図６に示すように、ＰＯＳ端末２００は、装置全体を管理する制御部２１０を中心に、表示装置２１１、操作入力装置（対価入力部）２１２、印刷部（記録部）２１３、時計２１４、カードリーダー（対価入力部）２１７、バーコード生成部（識別情報提示部）２１８、サーバ３００との通信を行うためのサーバ接続部（管理装置接続部）２２０、ＰＯＳデータ記憶部２２１が接続された構成となっている。サーバ接続部２２０は、イーサネット（登録商標）ケーブルなどからなるサーバとの通信手段２１５が、サーバとの通信制御部２１６を介して接続された構成を有している。
【００９５】
上記ＰＯＳデータ記憶部２２１の内部には、レシートリスト２２２、購入−電話料金ルール２２３、電話接続料金表２２４、その他ＰＯＳのデータ２２５などが格納されている。
【００９６】
レシートリスト２２２は、レシート番号の使用状況を示すリストである。購入−電話料金ルール２２３は、ファーストフード店において携帯電話１００の使用者が購入した商品に対して付与する電話料金の金額に関するルールである。電話接続料金表２２４は、例えば図８に示すようなものであり、通信相手の通信装置の種類に応じた設定された時間あたりの接続料金の一覧表である。これらに格納されるデータは、サーバ３００からサーバ接続部２２０を介して受信したものである。なお、これらのデータは、サーバ３００から一括して受信してもよいが、ＰＯＳ端末２００の操作入力装置２１２あるいはカードリーダー２１７から金額およびポイント（対価）の支払いの情報が入力されるごとにサーバ３００から受信してもよい。
【００９７】
表示装置２１１は、支払い金額や支払い時間などの表示を行うＰＯＳ端末２００の表示部に相当する。操作入力装置２１２は、商品を購入したときに携帯電話１００の使用者が支払った金額あるいはポイントを入力するための入力部に相当する。なお、商品に付与されるバーコードを読み取ることによって入力されてもよい。なお、使用者がプリペイド式の会員カードや、クレジットカードなどを用いて入金を行う場合には、これらのカードをカードリーダー２１７によって読み取ることによって、金額あるいはポイントの入力を行うこともできる。
【００９８】
バーコード生成部２１８は、レシート番号および無線ＬＡＮ設定情報などの情報を含むバーコードを生成するものである。時計２１４は時間の管理をするものであり、操作入力装置２１２に支払い金額などの入力が行われたときの時間を確認する。印刷部２１３は、紙などの記録媒体上に、バーコードを含む支払いに関する情報を印刷して、レシートＲとして出力するものである。
【００９９】
携帯電話１００の使用者が商品を購入すると、上記の構成を備えたＰＯＳ端末２００の操作入力装置２１２あるいはカードリーダー２１７から支払った金額あるいはポイント（対価）が入力される。この対価および入力時間などの支払いに関する情報は、サーバ接続部２２０を介してサーバ３００へ通知される。サーバ３００の制御部３１０では、この支払いに関する情報に基づいて、レシート番号および上記接続情報を設定し、これらを関連付けて格納したデータリスト３２６を作成する。
【０１００】
ここで設定されたレシート番号、および、接続情報のうちレシートに記載されるべきレシート情報（図７に示すデータリストにおいて、Ａで示す情報）は、サーバ３００のＰＯＳ用通信部３３１からＰＯＳ端末２００のサーバ接続部２２０へ送信される。ＰＯＳ端末２００に送信されたレシート番号およびレシート情報は、ＰＯＳデータ記憶部２２１内に記憶される。
【０１０１】
そして、レシート情報と無線ＬＡＮ設定情報については、バーコード生成部２１８においてバーコード情報となり、印刷部２１３へ送られる。印刷部２１３では、バーコード情報を紙の上に印刷するとともに、その他のレシート情報についても印刷する。そして、携帯電話１００がこのバーコートを読み取ることによって、携帯電話１０にもレシート番号が記憶される。つまり、本実施の形態では、バーコードが印刷されたレシートによって、レシート番号および無線ＬＡＮ設定情報を携帯電話１００に対して提示している。
【０１０２】
なお、本実施の形態における通信制御システムでは、上記サーバ３００においてレシート番号および接続情報の設定が行われるが、本発明はこれに限定されることなく、レシート番号および接続情報の設定をＰＯＳ端末２００の制御部２２１が行うような構成であってもよい。この場合、入力された支払い情報に基づいて、制御部２１０が、ＰＯＳデータ記憶部２２１内に格納されているレシートリスト２２２、購入−電話料金ルール２２３、電話接続料金表２２４を用いてレシート番号および接続情報の設定を行う。
【０１０３】
また、バーコードには、少なくともレシート番号が含まれていればよく、無線ＬＡＮ設定情報は含まれていなくてもよい。
【０１０４】
上記のＰＯＳ端末２００によれば、携帯電話１００の使用者が支払った対価に対応してレシート番号を付与するため、使用者が支払った対価に応じて接続情報（例えば、外部の通信網との接続可能時間、あるいは、ＩＰ電話の接続可能時間）の設定を行うことができる。
【０１０５】
続いて、サーバ・データ記憶部３２１内に格納されているデータリスト３２６について説明する。図７には、上記データリスト３２６の一例を示す。図７に示すように、データリスト３２６には、図の左から順に、顧客（使用が会員登録されている場合のみ）の情報、レシートに記載するレシート情報Ａとして、レシート番号、商品の購入金額、購入金額により発生する通話のために使用可能な金額、購入時間、無線ＬＡＮ接続の有効期限の情報、そして、それ以外の接続情報として、携帯電話１００への無線ＬＡＮ設定情報の入力の有無、無線ＬＡＮ使用の使用状態、ＩＰ電話の使用状態、残り金額、無線ＬＡＮの使用有効期限の有無、貸与ＩＰ、貸与電話番号、携帯電話１００の番号、ＰＯＳ番号の情報が記録されている。このうち、レシート番号は、レシートに記載されるバーコードに含まれるバーコード情報Ｂである。さらに、携帯電話１００の無線ＬＡＮ接続を自動で行う場合には、レシート番号に加えて無線ＬＡＮ設定情報もバーコード情報Ｂとして記録される。
【０１０６】
なお、データリスト３２６に示す無線ＬＡＮ接続の有効期限については、商品を購入した使用者が会員登録されている場合には、より多くのサービスが提供するという理由で、同じ商品を購入した場合にも、商品を購入した使用者が会員登録されているか否かによって、通話可能金額および無線ＬＡＮ接続の使用可能時間が異なってくる。
【０１０７】
そこで、購入−電話料金ルール２２３に基づいて、制御部３１０は通話可能金額および無線ＬＡＮ接続可能時間を算出する。以下に、図７に示すデータリスト３２６を作成する際に用いた購入−電話料金ルール２２３に基づいた通話可能金額および無線ＬＡＮ接続可能時間の算出方法の一例（第１の例）を示す。
【０１０８】
この第１の例においては、無線ＬＡＮ接続は時間で管理し、ＩＰ電話による通話は金額で管理している。ここでの算出のルールとしては、例えば、以下のルール１、ルール２が挙げられる。
ルール１：
会員    どの商品でも買えば、ＬＡＮ：２時間、ＩＰ電話：支払金額の３０％
一般    ５００円以上買えば、ＬＡＮ：１時間、ＩＰ電話：支払金額の２０％
ルール２：
会員    4000円以上買えば、ＬＡＮ：３時間、ＩＰ電話：支払金額の４０％
一般    4000円以上買えば、ＬＡＮ：３時間、ＩＰ電話：購入の２５％
また、接続時間の算出方法の他の例（第２の例）としては、無線ＬＡＮ接続は単位時間あたりの金額を決め、金額の中で管理し、ＩＰ電話による通話は金額で管理するというものである。この方法では、ＩＰ電話で使用可能金額を使い切ってしまったら。無線ＬＡＮの使用も切断される。ここでの算出のルールとしては、例えば、以下のルール１、ルール２、ルール３が挙げられる。
ルール１：
ＬＡＮ接続は、１分につき１円とする。但し、有効期限の上限はその日限り。
ルール２：
会員は、購入金額の３０％の使用権を金額で得る。
【０１０９】
一般は、５００円以上買えば、購入金額の２０％の使用権を金額で得る。
ルール３：
会員は、4000円以上買ったら、購入金額の４０％の使用権を金額で得る。
【０１１０】
一般は、4000円以上買ったら、購入金額の２５％の使用権を金額で得る。
【０１１１】
また、接続時間の算出方法のさらに他の例（第３の例）としては、無線ＬＡＮ接続もＩＰ電話接続も時間のみで管理するという方法である。この場合には、ＩＰ電話の通話１分につき無線ＬＡＮ接続の時間が１０分減るというようにすればよい。
【０１１２】
なお、上記のデータリスト３２６には、ＩＰ電話の接続可能時間の情報については、記載されていない。これは、ＩＰ電話の接続（通話）可能時間が、通信相手の通信装置の種類によって異なるからである。
【０１１３】
そのため、本実施の形態においては、サーバ・データ記憶部３２１の内部に電話接続料金表３２５が設けられている。図８には、電話接続料金表の一例を示す。この表に示すように、通信相手の種類によって、時間あたりの接続料金が設定されている。そして、使用者が携帯電話１００に通信相手の電話番号を入力した場合に、制御部３１０は、その電話番号から通信相手の種類、および、通信先が国内か海外かを特定して、ＩＰ電話の接続可能時間を算出して、その時間の範囲内でＩＰ電話の接続を行う。なお、ＡＰ４００が、携帯電話１００のＩＰ電話による通信の制御を行う場合には、サーバ３００からＡＰ４００へ送信された接続情報に基づいて、制御部４１０がＩＰ電話の接続可能時間の範囲内でＩＰ電話の接続を行う。
【０１１４】
図９（ａ）および（ｂ）には、ＰＯＳ端末２００で作成されるレシートＲの例を示す。図９（ａ）、（ｂ）に示すように、レシート番号および無線ＬＡＮ設定情報を含むバーコードＣ以外に、データリスト３２６のレシート情報などが記載される。なお、図９（ａ）に示すレシートは、データリスト３２６に示す上から３段目のレシート番号の場合、図９（ｂ）に示すレシートは、データリスト３２６に示す上から８段目のレシート番号の場合にＰＯＳ端末２００において作成されるレシートの一例である。
【０１１５】
ここで、上記構成の通信制御システムにおける通信処理の流れについて、図６に示すフローチャート及び図１を参照しながら以下に説明する。ここで説明する通信処理では、サーバ３００において、レシート番号を決定、および、接続可能時間の判定を行う。
【０１１６】
始めに、ＰＯＳ端末２００における処理の流れについて説明する。
【０１１７】
先ず、使用者が商品を購入すると、ＰＯＳ端末２００の操作入力装置２１１あるいはカードリーダー２１７において、金額の支払いに関する情報の入力が行われ（ステップＳ２１）、その後、金額の支払い（入金）が行われる（ステップＳ２２）。このステップＳ２１とステップＳ２２とは、順序が入れ替わってもよい。次に、この支払いに関する情報（購入情報）を、ＰＯＳ用通信部３３１を介してサーバ３３１に送信する（ステップＳ２３）。
【０１１８】
サーバ３００に購入情報が送信されると、サーバ３００の制御部３１０では、レシート番号および接続情報の設定が行われ、新しく設定された情報に基づいて、上記データリスト３２６が更新される。そして、サーバ３００は、ＰＯＳ端末に対して、レシート番号および接続情報（設定情報）を送信する。
【０１１９】
ＰＯＳ端末２００では、サーバ接続部２２０からレシート番号および接続情報を受信すると（ステップＳ２５）、レシートを作成し、印刷部２１３からレシートを出力する（ステップＳ２５）。
【０１２０】
続いて、サーバ３００における処理の流れについて説明する。
【０１２１】
サーバ３００では、ＰＯＳ端末２００から情報の受信があると（ステップＳ３１）、上記購入情報を受け取る（ステップＳ３２）。そして、制御部３１０では、この購入情報に基づいてレシート番号の設定を行うとともに、接続情報の設定を行う（ステップＳ３４）。なお、レシート番号は、商品の購入がある度に、毎回新しい番号に更新される。
【０１２２】
次に、データリスト（表）３２６の更新を行い（ステップＳ３５）、設定されたレシート番号および接続情報（設定情報）をＰＯＳ端末２００へ送信する（ステップＳ３６）。
【０１２３】
その後、携帯電話１００からレシート番号を受信すると（ステップＳ３６）、データリストにおいて一致するレシート番号に対応する接続情報の確認を行い、この接続情報に基づいて携帯電話１００の通信の制御を行う（ステップＳ３７）。そして、携帯電話１００が無線ＬＡＮ接続を開始したり、ＩＰ電話による通話を行ったりして、接続情報に変更があると（ステップＳ３８）、データリスト（表）がその都度更新される（ステップＳ３９）。なお、携帯電話１００からレシート番号の受信がない場合には、Ｓ３６、Ｓ３７の処理は行わないが、時間の経過とともに接続情報は変更されるので、Ｓ３８からの処理は実行される。
【０１２４】
また、携帯電話１００の通信制御中にデータリストの更新が行われると、接続期限判定部３１３において利用可能期限が間近に迫っているか否かの判定がおこなわれる（ステップＳ４０）。ここで、期限が間近に迫っていないと判定されると（Ｓ４０でＮｏ）、再びステップＳ３８に戻り、接続情報に変更があるたびに、データリストの更新が行われる。一方、ここで、期限が間近に迫っていると判定されると（Ｓ４０でＹｅｓ）、制御部３１０は報知情報として提示すべき情報があるか否かを判断して（ステップＳ４１）、このような情報がある場合には（Ｓ４１においてＹｅｓ）、ＡＰ４００を介して報知情報を携帯電話１００へ送信する（ステップＳ４２）。また、このような情報がない場合には（Ｓ４１においてＮｏ）、接続期限が満了したとの判定を行う（ステップＳ４３）。ここで、携帯電話１００の使用者が、商品を購入したときにレシート番号の読み取りを行わなかった場合には、無線ＬＡＮ接続は行われていない。そこで、ステップＳ４３の後に、切断すべき接続があるか否かを判断し（ステップＳ４４）、切断すべき接続がない場合（Ｓ４４においてＮｏ）には、処理を終了する。また、切断すべき接続がある場合（Ｓ４４においてＹｅｓ）には、切断指令をＡＰ４００に送信して（ステップＳ４５）、処理を終了する。
【０１２５】
続いて、ＡＰ４００における処理の流れについて説明する。
【０１２６】
ＡＰ４００では、サーバ３００から接続情報（設定情報）を受信し（ステップＳ５１）、無線ＬＡＮ接続可能な機器（ここでは、携帯電話１００）について、無線ＬＡＮ接続を行う（ステップＳ５２）。この無線ＬＡＮ接続中に、サーバ３００から接続に関する指令を受け取る（ステップＳ５３）。そして、ＩＰ電話の接続可能期限が満了し、サーバ３００からＩＰ電話接続の切断する旨の指令が送信された場合には（Ｓ５４においてＹｅｓ）、ＩＰ電話の接続切断処理を行う（ステップＳ５５）。携帯電話１００においてＩＰ電話による通信が行われていない場合には、サーバ３００からＩＰ電話接続の切断する旨の指令が送信されず（Ｓ５４においてＮｏ）、ＩＰ電話の接続処理は行わない。
【０１２７】
続いて、無線ＬＡＮ接続の有効期限が満了し、サーバ３００から無線ＬＡＮ接続を切断する旨の指令が送信された場合には（ステップＳ５６）、無線ＬＡＮ接続の切断処理を行い（ステップＳ５７）、処理を終了する。
【０１２８】
続いて、携帯電話１００における処理の流れについて説明する。
【０１２９】
携帯電話１００では、先ず、ＰＯＳ端末２００で出力されたレシートのバーコードを操作入力装置１１２から読み取る（ステップＳ１）。そして、表示装置１１１には、読み取った内容が表示される（ステップＳ２）。ここで、バーコードに無線ＬＡＮ設定情報が含まれていない場合には、使用者が操作入力装置１１２から手動で操作を行って無線ＬＡＮ接続の設定を行う（Ｓ３でＹｅｓ）。これによって、無線ＬＡＮの接続が開始する（Ｓ４）。使用者が操作入力装置１１２から手動で無線ＬＡＮ接続の設定操作を行わない場合（Ｓ３でＮｏ）には、無線ＬＡＮ接続が行われないため、ここで処理を終了する。
【０１３０】
なお、バーコードに無線ＬＡＮ設定情報が含まれていない場合には、バーコードを読み取ることによって、自動で無線ＬＡＮ設定が行われるため、ステップＳ３をスキップして、無線ＬＡＮ接続が開始する（ステップＳ４）。
【０１３１】
その後、使用者が操作入力装置１１２から通信相手先の電話番号を入力すると、ＩＰ電話による通話が開始される（Ｓ５でＹｅｓ）。このような電話番号の入力がなければ、ＩＰ電話による通話は行われず（Ｓ５でＮｏ）、無線ＬＡＮ接続の有効期限まで無線ＬＡＮ接続が行われる。
【０１３２】
ＩＰ電話による通話を開始する場合には（Ｓ５でＹｅｓ）、携帯電話１００は、通話に必要な接続情報を要求し（ステップＳ６）、通話を開始するための処理を実行する（ステップＳ７）。そして、使用者が通話を終了する場合（Ｓ８でＹｅｓ）には、使用者自身が操作を行うことによって、ＩＰ電話の接続を切断する（ステップＳ１１）。
【０１３３】
また、使用者が通話を終了しない場合（Ｓ８でＮｏ）には、サーバ３００から接続可能時間が残りわずかであるという接続情報が送信され（ステップＳ９）、これに基づいて、音声を合成して音声メッセージを発して使用者に通知する（ステップＳ１０）。その後、接続可能時間を超えると、サーバ３００（あるいは、ＡＰ４００）からの指令によって、ＩＰ電話の接続が切断される（ステップＳ１１）。
【０１３４】
そして、有効期限の満了前に、無線ＬＡＮ接続を切断する場合には（Ｓ１２でＹｅｓ）、使用者自身が操作入力装置１１２において操作を行うことによって、無線ＬＡＮ接続を切断する。また、有効期限の満了前に、無線ＬＡＮ接続を切断しない場合には（Ｓ１２でＮｏ）、有効期限の満了が近づいているという報告がサーバ３００から送信されると、接続可能時間が残りわずかである旨の報知情報を出すための制御コマンドが、ＡＰ４００から送信される（ステップＳ１３）。上記制御コマンドが送信されると（Ｓ１３でＹｅｓ）、音声などによる報知情報が使用者に通知され（ステップＳ１４）、その後、有効期限が満了すると、サーバ３００（あるいは、ＡＰ４００）から無線ＬＡＮ接続を切断する旨の指令が送られ、無線ＬＡＮ接続が切断される（ステップＳ１５）。なお、接続可能時間が残りわずかである旨の報知情報が送信されていなければ（Ｓ１３でＮｏ）、再び接続可能時間の範囲内でＩＰ電話による通話を行うことができる。
【０１３５】
続いて、携帯電話１００においてＩＰ電話での通話を行う場合の通信処理の流れについて、図１１のフローチャートを参照して説明する。ここでは、サーバ３００、ＡＰ４００、携帯電話１００という３者間における通信処理の流れを説明するとともに、各段階において携帯電話１００で発せられる各種メッセージについても説明する。
【０１３６】
まず、無線ＬＡＮ接続中の携帯電話１００が、ＩＰ電話の設定要求を行うと（ステップＳ７１）、この要求信号がＡＰ４００を中継して（ステップＳ９１）、サーバ３００に送信される（ステップＳ８１）。このＩＰ電話の設定要求は、通信相手の電話番号を入力する前に行うようにしてもよいし、電話番号を入力することによって設定されるものであってもよい。また、相手の電話番号を入力する前に、特定の電話番号等の番号を入力することで、設定されるものであってもよい。
【０１３７】
サーバ３００では、要求信号を受信すると、該当するＩＰ電話接続の設定条件を選択し（ステップＳ８２）、この設定条件に関する情報を携帯電話１００へ送信する（ステップ８３→ステップＳ７２）。このとき、ＡＰ４００では、通信の中継を行う（ステップＳ９２）。
【０１３８】
次に、携帯電話１００では、ＩＰ電話接続の設定を行い（ステップＳ７３）、通信相手に電話をかける（ステップＳ７４）。ここで、ＡＰ４００では、プロバイダなどの中継機器６０と接続し、電話の中継を行うとともに、サーバ３００へ電話を開始した旨の信号を送信する（ステップＳ９３）。サーバ３００では、電話の開始に関する情報を受信する（ステップＳ８４）と、ここで、接続可能時間（残り時間）、あるいは、接続可能金額（残金）、ファーストフード店のコマーシャルに関するメッセージ情報を生成し、ＡＰ４００へ送信する（ステップＳ８５）。なお、このステップにおいては、通信相手の携帯電話１０１に対しても、接続期限付きの電話であることや、コマーシャルを送るように設定してもよい。
【０１３９】
ＡＰ４００では、サーバ３００から送信されたメッセージ情報を必要に応じて、音声合成して、携帯電話１００へ送信する（ステップＳ９４）。これによって、携帯電話１００では、呼び出し中などに音声によるメッセージを聞くことができる（ステップＳ７５）。その後、携帯電話１００では、通信相手とＩＰ電話による通話が行われる（ステップＳ７６）。なお、この通話中に、例えば、残り時間が少ないなどというようなメッセージ情報を、必要に応じて、サーバ３００が生成、送信し（ステップＳ８７）、ＡＰ４００を介して（ステップＳ９５）、携帯電話１００に送信してもよい。
【０１４０】
その後、通話を終了する場合には、携帯電話１００において終了の操作を行い（ステップＳ７７）、ＡＰ４００においてプロバイダなどの中継機器６０との接続の切断が行われる（ステップＳ９６）。また、ＡＰ４００は、ＩＰ電話接続が終了したことをサーバ３００に知らせる。サーバ３００ではこの情報を受信すると（ステップＳ８８）、ＩＰ電話接続を切断したこと、残り時間、コマーシャル、「ご利用ありがとうございました」等の謝礼などのメッセージを生成し、ＡＰ４００へ送信する（ステップＳ８９）。
【０１４１】
上記のメッセージは、ＡＰ４００を介して（ステップＳ９７）、携帯電話１００に送信され、携帯電話１００の使用者はメッセージを聞くことができる（ステップＳ７８）。そこ後、携帯電話１００では、設定を元の状態に戻す（ステップＳ７９）。なお、設定が始めの状態と同じであれば、この動作は行わない。これによって、ＩＰ電話を使用する場合における通信処理が終了する。
【０１４２】
上記の処理において、音声を合成する方法については、ＰＣ等の機器において一般的に行われている方法を用いることができる。具体的には、デジタルであれば、各音声をＰＣＭ信号にして、加算等の演算を行えば、容易に音声の合成を行うことができる。また、サウンドデバイス（出力回路）に複数の入力を持たせ、それぞれに入力することも可能である。
【０１４３】
また、音声の合成は、携帯電話１００内で行ってもよいし、ＡＰ４００において合成してもよいし、サーバ３００において合成してもよい。
【０１４４】
続いて、携帯電話１００がＩＰ電話を利用した通話を終了した場合に、接続の切断処理を行う場合の処理の流れ、および、切断後に通常の電話による電話を行う場合の操作の流れについて、図１２に示すフローチャートを参照して説明する。
【０１４５】
先ず、ＩＰ電話接続中の携帯電話１００において、残り時間がわずかであるとの通知がされると（Ｓ６１でＹｅｓ）、音声、画面表示、振動などでその旨の警告が出力される（ステップＳ６２）。残り時間がわずかであるとの通知がされなければ（Ｓ６１でＮｏ）、携帯電話１００では、ＩＰ電話の接続が続行される。
【０１４６】
警告が出力された後、接続の残り時間がなくなると（ステップＳ６３）、携帯電話１００は、切断動作を行う（ステップＳ６４）。なお、ここで携帯電話１００では、接続が切断されたことを確認して切断後の動作を行ってもよいし、携帯電話１００が自発的に切断を行って、切断後の動作を行ってもよい。切断後はリダイヤル先として、かけるときに使用した全数字ではなく、相手の電話番号のみを示してもよいし、「リダイヤルしますか？」との確認の画面表示を行ってもよい。
【０１４７】
ＩＰ電話接続が切断されると、携帯電話１００では図１６（ｄ）に示すような、使用者に通常の電話で再び通話を行うか否かを問うメッセージが表示装置１１１に表示される（ステップＳ６６）。ここで、通常の電話で通話を行うことを選択する（図１６（ｄ）に示すような画面表示の場合には、操作入力装置１１２において「２」のキーを押す。）と（Ｓ６６でＹｅｓ）、先ほどと同じ相手先の電話番号をリダイヤルし（ステップＳ６７）、通常回線による通話が行われる。一方、通常の電話で通話を行わないことを選択する（図１６（ｄ）に示すような画面表示の場合には、操作入力装置１１２において「０」のキーを押す。）と（Ｓ６６でＮｏ）、先ほどの通信相手との通話を終了する。
【０１４８】
なお、携帯電話１００の使用者自身が個人で別のＩＰ電話契約を行っているような場合には、電話をかけ替える方法として、上述のファーストフード電話契約しているＩＰ電話経由で、使用者の契約しているＩＰ電話に電話をかけ、そこから通信相手に電話を中継させるというという方法もある。
【０１４９】
図１３（ａ）、（ｂ）には、無線ＬＡＮ接続を行ったときに携帯電話１００の表示装置１１１に表示される画面の一例を示す。図１３（ａ）は、図９（ａ）のレシートのバーコードを読み取った場合であり、図１３（ｂ）は、図９（ｂ）のレシートのバーコードを読み取った場合の画面表示である。なお、図１３に示すような内容の表示は、まずレシートに記載されたバーコードを読み取った後に、無線ＬＡＮ接続の設定を行い、無線ＬＡＮ通信によって、サーバ３００から接続情報を得ることによって可能となる。
【０１５０】
また、図１４（ａ）、（ｂ）には、図９（ａ）のレシートを読み取った場合の画面表示の他の例を示す。この例では、図１４（ａ）に示す画面表示がされ、ここでＹｅｓを選択した場合に、図１４（ｂ）に示す画面表示となる。
【０１５１】
また、携帯電話１００における画面表示は、上記ステップＳ２においてだけでなく、無線ＬＡＮ接続中に、接続の状態や残り時間などを示すために利用したり、接続を中断する時にそのことを使用者に知らせるために利用したりしてもよい。図１５（ａ）〜（ｆ）、図１６（ａ）〜（ｆ）には、上記のような各場合の画面表示の例を示す。
【０１５２】
また、本実施の形態においては、レシートに付されるバーコードに含まれる情報として、サーバ内の接続情報がどの携帯電話に関するものであるかを識別するために、少なくともレシート番号が含まれている。そして、このレシート番号は、偽造を防止するために、チェックサム付きのものが好ましい。
【０１５３】
それ以外の情報として、バーコードには、自動で無線ＬＡＮ設定を行うために、無線ＬＡＮ設定を行うための情報が含まれていることが好ましい。無線ＬＡＮ設定を行うための情報とは、例えば、ユーザネーム、ユーザＩＤ、無線ＬＡＮ接続に必要なＳＳＩＤなどである。また、セキュリティや暗号化に必要な情報ＩＰは指定しても、ＨＤＣＰで配布してもよい。
【０１５４】
なお、上述の通信制御システムによる無線ＬＡＮ接続のサービスは、登録されている会員のみに限ったサービスとしてもよい。また、本実施の形態では、携帯電話の無線ＬＡＮ接続の有効期限を、商品を購入した日限りとしているが、本発明では、これに限定されることなく、数ヶ月や数年の期限を持たせてもよい。なお、本実施の形態のように、有効期限をその日限りとすることで、実際にＩＰ電話が使用される率を低くすることができるため、商品の購入金額に対して付与される通話可能金額を上げることが可能となる。また、商品によって、通話可能金額の付加率を変えてもよい。
【０１５５】
なお、計算式の例として、通話サービスに提供可能な金額が、売り上げのＡ％であった場合には、通話可能金額は、通常、レシートの金額×（Ａ／１００）となる（これを「平均サービス提供料」と呼ぶ）。しかし、５００で１００円程度の通話料を与えることを考えるとＡは２０％であり、小売価格が上がる大きな要素になり問題である。
【０１５６】
しかし、固定ＡＰ電話のサービスを見ても分かるように、実際の購入者のうち、実際にその期間に電話を使用する率の逆数Ｂは１より十分大きくなる。例えば、購入者のうち３０％がＩＰ接続を行い、その１／３が電話をすると仮定すると、Ｂは１／０．３／３＝１０となる。よって、この場合であれば５００で１００円程度の通話料を与えたとしても、平均２％を電話サービス料として使用するだけになるので、小売価格上昇には大きな影響を与えず、サービスを提供可能になる。
【０１５７】
また、本発明の通信制御システムでは、１つのサーバに対して、携帯電話が複数でも良いことは当然であるが、ＰＯＳ端末およびＡＰが複数設けられていてもよい。このような構成にすることで、複数の店における携帯電話の無線ＬＡＮ接続のサービスを、１つの通信制御システムで行うことができる。
【０１５８】
また、ＰＯＳ端末において出力される複数のレシートの購入金額を加算して、１つの携帯電話における接続情報を行うこともできる。また、商品を購入する場合の支払い方法としては、現金およびクレジットカードだけでなく、携帯電話に内蔵されたフェリカ（登録商標）やクレジットなどであってもよい。
【０１５９】
また、本実施の形態では、レシートに印刷される２次元バーコード（図９参照）を用いてレシート番号の情報を携帯電話に入力する方法を採用しているが、本発明はこれに限定されることなく、赤外線やフェリカ（登録商標）機能で携帯電話にレシート番号を入力してもよいし、規定の無線ＬＡＮ設定で接続した後に、レシート番号を入力してもよい。
【０１６０】
また、本発明の通信制御システムを用いて携帯電話１００から、通信相手先の携帯電話１０１に電話をかけると、携帯電話１０１においては、サーバ３００によって管理された無線ＬＡＮ接続の空間（すなわち、ホットスポット（登録商標））における電話番号からの電話であると認識され、その電話番号が着信番号として通知される。そこで、この電話番号を相手先に知られないようにして発信することが好ましい。その方法として、例えば、電話番号の先頭に「１８４」を付けて発信するという方法がある。これによれば、通信相手の携帯電話１０１の表示画面には、図１７（ａ）に示すように、「非通知」と表示される。
【０１６１】
また、いたずら電話を防止するために、番号非通知の着信を受けない人も多いため、これを避けるために、ＳＩＰ（Session Initiation Protocol）などの制御プロトコルに、発信者（すなわち、携帯電話１００）の番号を埋め込むことで、通信相手に携帯電話１００自身の電話番号を知らせることもできる。この場合、通信相手の携帯電話１０１には、図１７（ｂ）に示すような画面が表示される。また、ＳＩＰに携帯電話１００の使用者の名前を埋め込んでおけば、通信相手の携帯電話１０１には、図１７（ｃ）に示すような画面が表示される。
【０１６２】
また、本発明の通信制御システムにおいては、通信相手の携帯電話１０１にファーストフード店のＣＭ音楽を流したり、ＣＭ画面を表示させたり（図１７（ｃ）参照）することもできる。さらに、図１７（ｄ）に示すように、かかってきた電話がファーストフード店（ハンバーガーショップ）経由の電話である旨と、そのＣＭを相手先の携帯電話に表示させることもできる。
【０１６３】
さらに、図１７（ｆ）に示すように、ＩＰ電話の接続が終了した後に、通信相手の携帯電話１０１に、ファーストフード店のＣＭ画面を表示させたり、すぐに通常の電話からかけ直される場合には、その旨のメッセージを表示させたり、音声で流すこともできる。
【０１６４】
また、図６を参照して説明した本実施の形態における通信制御システムの通信処理では、サーバ３００においてレシート番号を決定しており、接続可能時間の判定はサーバ３００内で行われているが、本発明はこれに限るものではない。そこで、通信処理の他の例として、ＰＯＳ端末２００自身が商品の購入に対してレシート番号を付与し、携帯電話１００自身が接続可能時間の判定を行う場合の通信処理の流れについて、図１８に示すフローチャートを参照して以下に説明する。
【０１６５】
始めに、ＰＯＳ端末２００における処理の流れについて説明する。
【０１６６】
先ず、使用者が商品を購入すると、ＰＯＳ端末２００の操作入力装置２１１あるいはカードリーダー２１７において、金額の支払いに関する情報の入力が行われ（ステップＳ２２１）、その後、金額の支払い（入金）が行われる（ステップＳ２２２）。このステップＳ２２１とステップＳ２２２とは、順序が入れ替わってもよい。次に、制御部２１０では、レシートリスト２２２にも基づいて、この支払いに関する情報（購入情報）から、レシート番号を決定し、決定したレシート番号および購入情報を、ＰＯＳ用通信部３３１を介してサーバ３３１に送信する（ステップＳ２２３）。
【０１６７】
続いて、ＰＯＳ端末２００では、上記のレシート番号および購入情報に基づいて、レシートを作成し、印刷部２１３からレシートを出力する（ステップＳ２２４）。
【０１６８】
続いて、サーバ３００における処理の流れについて説明する。
【０１６９】
サーバ３００では、ＰＯＳ端末２００からレシート番号および購入情報の受信をすると（ステップＳ３３１）、制御部３１０では、この購入情報に基づいて接続情報の設定を行った後に、データリスト（表）３２６の更新を行う（ステップＳ３３２）。
【０１７０】
その後、携帯電話１００からレシート番号を受信すると（ステップＳ３３３）、データリストにおいて一致するレシート番号に対応する接続情報の確認を行い、この接続情報に基づいて携帯電話１００の通信の制御を行う（ステップＳ３３４）。そして、携帯電話１００が無線ＬＡＮ接続を開始したり、ＩＰ電話による通話を行ったりして、接続情報に変更があると（ステップＳ３３５）、データリスト（表）がその都度更新される（ステップ３３６）。なお、携帯電話１００からレシート番号の受信がない場合には、Ｓ３３３、Ｓ３３４の処理は行わないが、時間の経過とともに接続情報は変更されるので、Ｓ３３５からの処理は実行される。
【０１７１】
また、携帯電話１００の通信制御中にデータリストの更新が行われると、一定時間経過後に、接続期限判定部３１３において利用可能期限が満了したという判定があるか否かが確認される（ステップＳ３３７）。利用可能期限が満了したという判定があると（ステップＳ３３７でＹｅｓ）、続いて、切断すべき接続があるか否かが判断される（ステップＳ３３８）。なお、切断すべき接続があるか否かの判定を行うのは、携帯電話１００の使用者が、商品を購入したときにレシート番号の読み取りを行わなかった場合には、無線ＬＡＮ接続は行われていないためである。ここで、切断すべき接続がない場合（Ｓ３３８においてＮｏ）には、処理を終了する。また、切断すべき接続がある場合（Ｓ３３８においてＹｅｓ）には、切断指令をＡＰ４００に送信して（ステップＳ３３９）、処理を終了する。
【０１７２】
続いて、ＡＰ４００における処理の流れについて説明する。
【０１７３】
ＡＰ４００では、サーバ３００から接続情報（設定情報）を受信し（ステップＳ４４１）、無線ＬＡＮ接続可能な機器（ここでは、携帯電話１００）について、無線ＬＡＮ接続を行う（ステップＳ４４２）。この無線ＬＡＮ接続中に、サーバ３００から接続に関する指令を受け取る（ステップＳ４４３）。そして、ＩＰ電話の接続可能期限が満了し、サーバ３００からＩＰ電話接続の切断する旨の指令が送信された場合には（Ｓ４４４においてＹｅｓ）、ＩＰ電話の接続切断処理を行う（ステップＳ４４５）。携帯電話１００においてＩＰ電話による通信が行われていない場合には、サーバ３００からＩＰ電話接続の切断する旨の指令が送信されず（Ｓ４４４においてＮｏ）、ＩＰ電話の接続処理は行わない。
【０１７４】
続いて、無線ＬＡＮ接続の有効期限が満了し、サーバ３００から無線ＬＡＮ接続を切断する旨の指令が送信された場合には（ステップＳ４４６）、無線ＬＡＮ接続の切断処理を行い（ステップＳ４４７）、処理を終了する。
【０１７５】
続いて、携帯電話１００における処理の流れについて説明する。
【０１７６】
携帯電話１００では、先ず、ＰＯＳ端末２００で出力されたレシートのバーコードを操作入力装置１１２から読み取る（ステップＳ１０１）。そして、表示装置１１１には、読み取った内容が表示される（ステップＳ１０２）。ここで、バーコードに無線ＬＡＮ設定情報が含まれていない場合には、使用者が操作入力装置１１２から手動で操作を行って無線ＬＡＮ接続の設定を行う（Ｓ１０３でＹｅｓ）。これによって、無線ＬＡＮの接続が開始する（Ｓ１０４）。使用者が操作入力装置１１２から手動で無線ＬＡＮ接続の設定操作を行わない場合（Ｓ１０３でＮｏ）には、無線ＬＡＮ接続が行われないため、ここで処理を終了する。
【０１７７】
なお、バーコードに無線ＬＡＮ設定情報が含まれていない場合には、バーコードを読み取ることによって、自動で無線ＬＡＮ設定が行われるため、ステップＳ１０３をスキップして、無線ＬＡＮ接続が開始する（ステップＳ１０４）。
【０１７８】
その後、使用者が操作入力装置１１２から通信相手先の電話番号を入力すると、ＩＰ電話による通話が開始される（Ｓ１０５でＹｅｓ）。このような電話番号の入力がなければ、ＩＰ電話による通話は行われず（Ｓ１０５でＮｏ）、無線ＬＡＮ接続の有効期限まで無線ＬＡＮ接続が行われる。
【０１７９】
ＩＰ電話による通話を開始する場合には（Ｓ１０５でＹｅｓ）、携帯電話１００は、通話に必要な接続情報を要求し（ステップＳ１０６）、通話を開始するための処理を実行する（ステップＳ１０７）。通話を開始すると、携帯電話１００の制御部１１０では、時計１１３を用いて通話時間、および、残りの通話可能時間の計算を行う（ステップＳ１０８）。
【０１８０】
そして、使用者が通話を終了する場合（Ｓ１０９でＹｅｓ）には、使用者自身が操作を行うことによって、ＩＰ電話の接続を切断する（ステップＳ１１２）。
【０１８１】
また、使用者が通話を終了しない場合（Ｓ１０９でＮｏ）には、制御部１１０は、接続可能時間が残りわずかであることを判断し（ステップＳＳ１１０）、音声を合成して音声メッセージを発して使用者に通知する（ステップＳ１１１）。その後、接続可能時間を超えると、サーバ３００（あるいは、ＡＰ４００）からの指令によって、ＩＰ電話の接続が切断される（ステップＳ１１２）。
【０１８２】
そして、有効期限の満了前に、無線ＬＡＮ接続を切断する場合には（Ｓ１１３でＹｅｓ）、使用者自身が操作入力装置１１２において操作を行うことによって、無線ＬＡＮ接続を切断する。また、有効期限の満了前に、無線ＬＡＮ接続を切断しない場合には（Ｓ１１３でＮｏ）、有効期限の満了が近づいていると制御部１１０が判断すると、接続可能時間が残りわずかである旨の報知情報を出すための制御コマンドが、ＡＰ４００から送信される（ステップＳ１１４）。上記制御コマンドが送信されると（Ｓ１１４でＹｅｓ）、音声などによる報知情報が使用者に通知され（ステップＳ１１５）、その後、有効期限が満了すると、サーバ３００（あるいは、ＡＰ４００）から無線ＬＡＮ接続を切断する旨の指令が送られ、無線ＬＡＮ接続が切断される（ステップＳ１１６）。なお、接続可能時間が残りわずかである旨の報知情報が送信されていなければ（Ｓ１１４でＮｏ）、再び接続可能時間の範囲内でＩＰ電話による通話を行うことができる。
【０１８３】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１８４】
最後に、サーバ３００、ＡＰ４００、およびＰＯＳ端末２００を構成する各部は、ハードウェアロジックによって構成してもよいし、次のようにＣＰＵを用いてソフトウェアによって実現してもよい。
【０１８５】
すなわち、サーバ３００、ＡＰ００、およびＰＯＳ端末２００は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるサーバ３００、ＡＰ００、およびＰＯＳ端末２００の制御プログラムのプログラムコード（実行形式プログラム、中間コードプログラム、ソースプログラム）をコンピュータで読み取り可能に記録した記録媒体を、上記サーバ３００、ＡＰ００、およびＰＯＳ端末２００に供給し、そのコンピュータ（またはＣＰＵやＭＰＵ）が記録媒体に記録されているプログラムコードを読み出し実行することによっても、達成可能である。
【０１８６】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【０１８７】
また、サーバ３００、ＡＰ００、およびＰＯＳ端末２００を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【０１８８】
本発明の通信制御システムによれば、携帯電話などのような個人が所有する通信装置を用いて、ＩＰ電話から公衆回線などの通常、送信者・機器の特定と、料金が必要な外部の通信網への接続を行うことができるため、例えばホットスポット（登録商標）などのような無線ＬＡＮ設定の可能な特定の空間内における、携帯電話を用いた通信に幅広く利用することができる。また、通信権を確認し、課金先を明確にして、別途通話者以外から支払いを可能にすることで、携帯電話等に対して、通話者が無料で通話を行うことが出来る。
【図面の簡単な説明】
【０１８９】
【図１】本発明の実施の一形態にかかる通信制御システムの構成を示す構成図である。
【図２】図１に示す通信制御システムにおける情報のやり取りを模式的に示す図である。
【図３】図１に示す通信制御システムを構成する携帯電話の構成を示すブロック図である。
【図４】図１に示す通信制御システムを構成するサーバの構成を示すブロック図である。
【図５】図１に示す通信制御システムを構成するアクセスポイントの構成を示すブロック図である。
【図６】図１に示す通信制御システムを構成するＰＯＳ端末の構成を示すブロック図である。
【図７】図４に示すサーバのサーバ・データ記憶部内に格納されているデータリストの一例を示す図である。
【図８】図４に示すサーバのサーバ・データ記憶部内に格納されている電話接続料金表の一例を示す図である。
【図９】（ａ）および（ｂ）は、図６に示すＰＯＳ端末において発券されるレシートの記載例を示す図である。
【図１０】図１に示す通信制御システムにおける通信処理の流れを示すフローチャートである。
【図１１】図１に示す通信制御システムにおいて、携帯電話によるＩＰ電話を使用した電話接続処理の流れを示すフローチャートである。
【図１２】図１に示す通信制御システムにおいて、ＩＰ電話の利用による通話を切断した後に、通常の電話による電話を行う場合の操作の流れを示すフローチャートである。
【図１３】（ａ）および（ｂ）は、携帯電話の表示装置に表示される画面の一例を示す模式図である。
【図１４】（ａ）および（ｂ）は、携帯電話の表示装置に表示される画面の他の例を示す模式図である。
【図１５】（ａ）〜（ｆ）は、携帯電話の表示装置に表示される画面の他の例を示す模式図である。
【図１６】（ａ）〜（ｆ）は、携帯電話の表示装置に表示される画面の他の例を示す模式図である。
【図１７】（ａ）〜（ｆ）は、図１に示す通信制御システムにおいて、通信相手の携帯電話の表示装置に表示される画面の例を示す模式図である。
【図１８】本発明の通信制御システムにおける通信処理の他の例を示すフローチャートである。
【符号の説明】
【０１９０】
８０    キャリア網（外部の通信網）
１００    携帯電話（通信装置）
１１２    操作入力装置（識別情報取得部）
１２４    レシート番号記憶部（記憶部）
１３０    無線ＬＡＮ用接続部（接続部、識別情報送信部）
２００    ＰＯＳ端末（情報提供装置）
２１２    操作入力装置（対価入力部）
２１３    印刷部（記録部）
２１７    カードリーダー（対価入力部）
２１８    バーコード生成部（識別情報提示部）
２２０    サーバ接続部（管理装置接続部）
３００    ファーストフード店サーバ（管理装置）
３１０    制御部（管理制御部）
３２１    サーバ・データ記憶部（情報記憶部）
３３０    ＡＰ用通信部（通信部）
４００    アクセスポイント（中継装置）
４１０    制御部（中継制御部）
【図１】
2006074296.tif 000003
【図２】
2006074296.tif 000004
【図３】
2006074296.tif 000005
【図４】
2006074296.tif 000006
【図５】
2006074296.tif 000007
【図６】
2006074296.tif 000008
【図７】
2006074296.tif 000009
【図８】
2006074296.tif 000010
【図９】
2006074296.tif 000011
【図１０】
2006074296.tif 000012
【図１１】
2006074296.tif 000013
【図１２】
2006074296.tif 000014
【図１３】
2006074296.tif 000015
【図１４】
2006074296.tif 000016
【図１５】
2006074296.tif 000017
【図１６】
2006074296.tif 000018
【図１７】
2006074296.tif 000019
【図１８】
2006074296.tif 000020